(57)【要約】  器具を取り扱うための器具カセットは、器具を保持するための本体部（１０１）と、この器具カセットから離れた所から読み取り可能である無線周波数識別器（１０２）と、を備えている。この器具カセットの無線周波数識別器は、この器具カセットの助けを借りて取り扱われる一式の器具を対象とする、又は、この一式の器具で実施される、例えば消毒、滅菌、修復、及び、臨床使用のようなオペレーションの追跡を容易にする。これらの器具は、例えば、医療用及び／又は歯科用の手用器具であってもよい。【選択図】  図１Ｅ
2020526256.tif 000002
【特許請求の範囲】
【請求項１】
器具を取り扱うための器具カセット（１００、２００、３００）であって、前記器具を保持するための本体部（１０１、２０１、３０１）を備えており、更に、無線周波数識別器（１０２、２０２、３０２）を備えており、前記無線周波数識別器が該無線周波数識別器から離れた所から読み取り可能である、前記器具カセット。
【請求項２】
前記器具カセットの一部分が空洞（１０３、２０３、３０３）を構成しており、前記無線周波数識別器が前記空洞内に配置されており、前記一部分が、前記本体部であるか、あるいは、前記本体部に機械的に接続された別の部分である、請求項１に記載の器具カセット。
【請求項３】
前記空洞の開口を閉鎖する閉鎖要素（１０４、２０４、３０４）を更に備えている、請求項２に記載の器具カセット。
【請求項４】
前記閉鎖要素が、前記空洞を構成する前記器具カセットの前記一部分に対して前記無線周波数識別器を静止状態に保つように構成されており、前記無線周波数識別器が、前記閉鎖要素の取り外しに応じて、前記器具カセットの前記一部分に対して可脱状態になる、請求項３に記載の器具カセット。
【請求項５】
前記閉鎖要素と前記空洞の表面とが前記無線周波数識別器用の気密封止されたスペースを構成する、請求項３又は４に記載の器具カセット。
【請求項６】
前記空洞（１０３、２０３、３０３）が細長い溝であり、前記無線周波数識別器が細長いアンテナ構造体（２０５、２０６）を備えている、請求項２〜５のいずれか一項に記載の器具カセット。
【請求項７】
前記空洞（１０３、２０３、３０３）が細長い溝であり、前記無線周波数識別器が細長いアンテナ構造体（２０５、２０６）を備えており、前記閉鎖要素（１０４、２０５、２０４）が前記細長い溝を閉じる細長いバーである、請求項３〜５のいずれか一項に記載の器具カセット。
【請求項８】
前記器具の施術用部分に対する意図しない接触を防止するために前記器具の前記施術用部分を収容するスペースを覆うためのカバー要素（１０７、１０８、３０７、３０８）を更に備えている、請求項１〜７のいずれか一項に記載の器具カセット。
【請求項９】
前記空洞を構成する前記器具カセットの前記一部分が前記本体部から非破壊的に取り外し可能である、請求項２〜８のいずれか一項に記載の器具カセット。
【請求項１０】
前記空洞を構成する前記器具カセットの前記一部分が前記器具の施術用部分に対する意図しない接触を防止するために前記器具の前記施術用部分を収容するスペースを覆うためのカバー要素（３０８）である、請求項２〜９のいずれか一項に記載の器具カセット。
【請求項１１】
前記空洞を構成する前記器具カセットの前記一部分が前記器具カセットの前記本体部（１０１、２０１）である、請求項２〜８のいずれか一項に記載の器具カセット。
【請求項１２】
前記空洞の開口が前記本体部の外壁部分に在る、請求項１１に記載の器具カセット。
【請求項１３】
前記空洞の前記開口が前記本体部の底部に在り、前記空洞の前記開口が前記器具を収容するスペースに対して反対側に在る、請求項１２に記載の器具カセット。
【請求項１４】
前記器具を機械的に支持するための前記本体部の一部分（１２０）が前記空洞を構成するように成形されている、請求項１２又は１３に記載の器具カセット。
【請求項１５】
前記閉鎖要素が接着剤（２１２）で前記空洞の前記表面に取り付けられている、請求項３〜１４のいずれか一項に記載の器具カセット。
【請求項１６】
前記閉鎖要素が、前記無線周波数識別器が前記空洞に挿入された後に前記空洞の前記開口において鋳造された材料によって形成されている、請求項３〜１４のいずれか一項に記載の器具カセット。
【請求項１７】
前記本体部の材料が非導電性である、請求項１〜１６のいずれか一項に記載の器具カセット。
【請求項１８】
前記本体部の前記材料がプラスチックを含んでいる、請求項１７に記載の器具カセット。
【請求項１９】
前記プラスチックがポリフェニレンスルフィド「ＰＰＳ」を含んでいる、請求項１８に記載の器具カセット。
【請求項２０】
前記閉鎖要素が可撓性の材料で作られている、請求項３〜１９のいずれか一項に記載の器具カセット。
【請求項２１】
前記可撓性の材料がシリコーンを含んでいる、請求項２０に記載の器具カセット。
【請求項２２】
前記空洞と前記可撓性の閉鎖要素とが、前記可撓性の閉鎖要素が前記空洞への挿入に応じて圧縮されるように、寸法決めされている、請求項２０又は２１に記載の器具カセット。
【発明の詳細な説明】
【技術分野】
【０００１】
本開示は、例えば、必ずしもそうではないが、医療用又は歯科用の手用器具であり得る器具を取り扱うための器具カセットに関する。この器具カセットは、例えば器具をオートクレービングによって殺菌消毒する場合に、器具を保持するために使用できる。
【背景技術】
【０００２】
多くの場合、医療分野又は歯科分野の関係当局及び関係者は、当該器具を対象とする又は当該器具で実施される消毒、滅菌、修復、臨床使用、及び、その他のオペレーションを追跡できるように器具を追跡するための確実で追跡可能なソリューションを求めている。今日、関連業務が重荷となっているために、ユーザは、一般的に手作業で報告書を作成する時間がなくなり、その意欲も持てなくなっている。更に、器具についての手作業のデータ記録と識別とについて誤りが生じる可能性もあり、そのために、手作業で記録されたデータを、何が行われたか、及び、何が行われていないのかについての反駁の余地のない証拠として、見なすことができなくなっている。
【０００３】
器具を対象とする又は器具で実施されるオペレーションを追跡するための既知の１つのソリューションは、各器具に例えば無線周波数識別器（radio frequency identifier）「ＲＦＩＤ」のような固有の識別器を設けることである。例えば、特許文献１には、無線周波数識別器を備えた器具が記載されている。この無線周波数識別器は、器具のハンドルの表面に取り付けられたポリマーシートに埋設されている。この無線周波数識別器を含むポリマーシートは、例えば、器具のハンドルの周りに巻き付けることができる。平坦な表面を得るために、ポリマーシートにサイズが対応する凹部を器具に設けることが可能である。特許文献１に記載された有利な一実施形態において、ポリマーシートは２つの層を備えており、それらの間に無線周波数識別器が配置されている。しかしながら、多くの場合、特定の器具セットを対象とする又は特定の器具セットで実施されるオペレーションを追跡する必要があり得る。従って、器具セットを対象とする又は器具セットで実施されるオペレーションを追跡できるための新たな技術的ソリューションが必要である。
【先行技術文献】
【特許文献】
【０００４】
【特許文献１】国際公開第２００８/０６２３８７号
【発明の概要】
【０００５】
以下、本発明の一部の実施形態の基本的な理解が得られるように、簡略化した概要を提示する。この概要は、本発明の広範囲に亘る全体像ではない。本発明の主要又は重要な要素を特定することも、そして、本発明の範囲を線引きすることも意図していない。以下の概要は、単に、本発明の例示的な実施形態のより詳細な説明の前置きとして、単純化された形で、本発明の一部の概念を提示するものである。
【０００６】
多くの場合、器具は、例えばオートクレーブ滅菌処理中に、各々が１組の器具を保持するのに適した複数の器具カセットの助けを借りて、取り扱われる。器具カセット内に配置される器具セットには、例えば、所与の処置を実施するのに必要な医療用及び／又は歯科用の手用器具が含まれることがある。
【０００７】
本発明に従って、例えば医療用又は歯科用の手用器具のような器具を取り扱うための新規な器具カセットを提供する。
【０００８】
この器具カセットは、
・器具を保持するための本体セクションと、
・無線周波数識別器「ＲＦＩＤ」と、
を備えており、無線周波数識別器「ＲＦＩＤ」は、この無線周波数識別器から離れた所から読み取り可能である。
【０００９】
この器具カセットの無線周波数識別器は、この器具カセットの助けを借りて取り扱われる１組の器具を対象とする、又は、この１組の器具で実施される、例えば消毒、滅菌、修復、及び、臨床使用のようなオペレーションの追跡を容易にする。
【００１０】
いくつかの例示的且つ非限定的な実施形態を本明細書における従属請求項に記載する。
【００１１】
構造及び動作の方法の両方に関する様々な例示的且つ非限定的な実施形態が、それらの更なる目的及び利点と共に、添付図面に関連付けて読まれる、それらの特定の例示的且つ非限定的な実施形態の以下の説明から、最適に理解されるであろう。
【００１２】
この文書において、「備えている（to comprise）」及び「含んでいる（to include）」という動詞は、本明細書に記載されていない特徴の存在を除外することも必要とすることもない非排他的な限定として使用されている。従属請求項に記載された特徴は、特に明記しない限り、互いに自由に組み合わせることができる。更に、「ａ」又は「ａｎ」、即ち、単数形の使用は、この文書全体を通じて、複数形を除外していないことを理解されたい。
【００１３】
以下、例示的且つ非限定的な実施形態とそれらの利点とを、例の意味で、下記の添付図面を参照して、更に詳細に説明する。
【図面の簡単な説明】
【００１４】
【図１Ａ】例示的且つ非限定的な一実施形態に従う器具カセットを例示する図である。
【図１Ｂ】例示的且つ非限定的な一実施形態に従う器具カセットを例示する図である。
【図１Ｃ】例示的且つ非限定的な一実施形態に従う器具カセットを例示する図である。
【図１Ｄ】例示的且つ非限定的な一実施形態に従う器具カセットを例示する図である。
【図１Ｅ】例示的且つ非限定的な一実施形態に従う器具カセットを例示する図である。
【図２Ａ】例示的且つ非限定的な一実施形態に従う器具カセットと、この器具カセットにおいて無線周波数識別器「ＲＦＩＤ」を設置するための工程と、を例示する図である。
【図２Ｂ】例示的且つ非限定的な一実施形態に従う器具カセットと、この器具カセットにおいて無線周波数識別器「ＲＦＩＤ」を設置するための工程と、を例示する図である。
【図２Ｃ】例示的且つ非限定的な一実施形態に従う器具カセットと、この器具カセットにおいて無線周波数識別器「ＲＦＩＤ」を設置するための工程と、を例示する図である。
【図２Ｄ】例示的且つ非限定的な一実施形態に従う器具カセットと、この器具カセットにおいて無線周波数識別器「ＲＦＩＤ」を設置するための工程と、を例示する図である。
【図３Ａ】例示的且つ非限定的な一実施形態に従う器具カセットを例示する図である。
【図３Ｂ】例示的且つ非限定的な一実施形態に従う器具カセットを例示する図である。
【発明を実施するための形態】
【００１５】
以下の説明において提供する具体的な例は、本明細書に記載の特許請求の範囲の適用範囲及び／又は適用の可能性を限定するものとして解釈されるべきではない。この説明において提供する多数の例と数組の例とは、特に明記しない限り、網羅的ではない。
【００１６】
図１Ａ、１Ｂ、１Ｃ、１Ｄ及び１Ｅは、例示的且つ非限定的な実施形態に従う器具カセット１００を例示している。図１Ａは器具カセットの上面図を示し、図１Ｂは器具カセットの側面図を示し、図１Ｃは器具カセットの底面図を示し、図１Ｄは図１Ｃに示された線Ａ−Ａに沿った断面図を示し、図１Ｅは図１Ｃに示された線Ｂ−Ｂに沿った断面図を示している。図１Ｄに関する断面は座標系１９９のｙｚ平面と平行であり、図１Ｅに関する断面は座標系１９９のｘｚ平面と平行である。器具カセット１００は、例えば医療用又は歯科用の手用器具のような器具を保持するための本体部１０１を備えている。図１Ａ〜１Ｃに示された例示的な状況において、器具カセット１００には３つの例示的な器具がある。これらの例示的な器具のうちの１つが参照番号１１１で示されている。これらの器具は、図１Ｄ及び１Ｅに示された断面図には示されていない。この例示的な器具カセット１００は、これらの器具の施術用部分用の２つのセクション１１３及び１１４を備えている。施術用部分は、例えばメスのブレードであってもよい。しかしながら、器具の施術用部分用に１つのセクションだけであっても可能である。本体部１０１の材料は、利点として、無線周波数の電波が本体部の材料を貫通できるように、非導電性である。本体部１０１の材料は、例えばポリフェニレンスルフィド（polyphenylene sulfide）「ＰＰＳ」を含み得る例えばプラスチックを含んでいてもよい。器具カセット１００は、器具の施術用部分に対する意図しない接触を防止するために、器具の施術用部分を収容するためのスペースを覆うカバー要素１０７及び１０８を備えている。この例示的な器具カセット１００において、カバー要素１０７及び１０８は、本体部１０１にヒンジ留めされている。しかしながら、１つ又は複数のカバー要素が、例示的な一実施形態に従って、器具カセットの本体部に形状固定されているか、あるいは、そうでなければ、機械的に接続されていることも可能である。また、例示的な一実施形態に従う器具カセットが、上述の部類のカバー要素を全く備えていないことも可能である。図１Ａ及び１Ｂに示された例示的な状況において、カバー要素１０８は開いた位置にある。カバー要素１０７及び１０８には、利点として、オートクレーブ滅菌処理中に高温蒸気が器具の施術用部分と接触するのを容易にする開口が設けられている。図１Ａにおいて、カバー要素１０７の開口の１つが、参照番号１０９で示されている。同様に、器具の施術用部分を収容するためのセクション１１３及び１１４の底部には、利点として、開口が設けられている。図１Ａ及び１Ｃにおいて、セクション１１４の底部の開口の１つが、参照番号１１０で示されている。更に、セクション１１３及び１１４の側壁にも開口を設けることができる。
【００１７】
器具カセット１００は無線周波数識別器「ＲＦＩＤ」を備えており、この無線周波数識別器は、これから離れた所から読み取り可能である。図１Ｄ及び１Ｅにおいて、この無線周波数識別器は参照番号１０２で示されている。この例示の場合において、無線周波数識別器１０２は、本体部１０１の空洞１０３内に配置されている。器具カセット１００には、空洞１０３の開口を閉鎖し、且つ、この空洞の表面と共に、無線周波数識別器１０２用のスペースを構成する閉鎖要素１０４が備えられている。利点として、無線周波数識別器１０２は実質的に本体部１０１に直接取り付けられておらず、閉鎖要素１０４が無線周波数識別器１０２を本体部１０１に対して静止状態に保っている。この例示の場合において、閉鎖要素１０４が取り外された後に、無線周波数識別器１０２を別の無線周波数識別器に置き換えることは簡単である。利点として、閉鎖要素１０４と空洞１０３の表面とは、無線周波数識別器１０２用の気密封止されたスペースを構成する。この例示の場合において、無線周波数識別器１０２は、例えば、オートクレーブ滅菌処理において使用される高温蒸気のような環境状態から保護される。閉鎖要素１０４は、例えばシリコーンから成る可撓性材料で作製できる。しかしながら、別の例示的な一実施形態に従う器具カセットの無線周波数識別器は、空洞の開口を閉じるための閉鎖要素が不要になるように、空洞の表面に取り付けられることも可能である。更に、例示的な一実施形態に従う器具カセットの無線周波数識別器は、この無線周波数識別器が空洞内に又は類似物内に存在しないように、本体部又は器具カセットの別の要素の表面に取り付けられることも可能である。
【００１８】
無線周波数識別器１０２は、例えば、必ずしもそうではないが、セラミック無線周波数識別器タグとすることができる。無線周波数識別器１０２は、例えば、必ずしもそうではないが、デジタル情報を記憶できるメモリ回路を備えていてもよい。このデジタル情報には、例えば、類似の器具カセットの中から個別のものとして器具カセット１００を識別する識別情報、及び／又は、例えば、器具カセットの製造日、器具カセットの製造業者及び／又は器具カセットに直接又は間接的に関連するその他の情報、が含まれていてもよい。更に、このデジタル情報は、器具カセット１００を使用して実施された滅菌サイクル数を示してもよい。しかしながら、無線周波数識別器１０２がメモリ回路を全く備えず、無線周波数識別器１０２に関連する識別情報が、例えば、無線周波数識別器１０２の電波特性によって表されることも可能である。
【００１９】
図１Ａ〜１Ｅに例示された例示的な器具カセット１００において、空洞１０３は、細長い溝である。無線周波数識別器１０２は、細長いアンテナ構造体を備えており、閉鎖要素１０４は、その細長い溝を閉じるように構成された細長いバーである。無線周波数識別器１０２の細長いアンテナ構造体は図１Ｅに例示されており、この図１Ｅにおいて、このアンテナ構造体の要素が、参照番号１０５及び１０６で示されている。このアンテナ構造体は、例えばダイポールアンテナとすることができる。図１Ｄ及び１Ｅに例示されているように、器具カセットがその運用位置に在る時、細長い空洞の開口は下方に面している。図１Ｄ及び１Ｅに例示されているように、器具を機械的に支持するための本体部の一部分１２０が、細長い空洞を構成するように成形されている。この構造は、無線周波数識別器１０２用の細長い空洞を実装するための簡単な手段になる。細長い空洞がその開口を器具カセットの側壁に有すること、即ち、その細長い空洞が細長い管状のスペースを構成することも可能である。
【００２０】
しかしながら、例示的な一実施形態に従う器具カセットの無線周波数識別器が、図１Ｅに示された部類の細長いアンテナ構造体を備えていないことも可能である。この例示の場合において、無線周波数識別器を収容するための空洞の形状は、図１Ｄ及び１Ｅに示された空洞１０３の形状とは異なっていてもよい。
【００２１】
図２Ａ、２Ｂ、２Ｃ及び２Ｄは、例示的且つ非限定的な一実施形態に従う器具カセット２００を例示している。図２Ａ〜２Ｄに関する視線方向は、座標系２９９で例示されている。図２Ａに示された例示的な状況において、器具カセット２００内に器具２１１が存在する。図２Ｂ、２Ｃ及び２Ｄには、器具カセット２００内に無線周波数識別器「ＲＦＩＤ」２０２を設置する工程が例示されている。器具カセット２００は、器具を保持するための本体部２０１を備えている。図２Ｂに例示されているように、本体部２０１は、無線周波数識別器２０２用の空洞２０３を有している。図２Ｂに基づいて理解できるように、無線周波数識別器２０２は、空洞２０３に落とし込むことができ、且つ、この空洞が組み立て作業の後期において無線周波数識別器２０２を機械的にサポートするので、設置が容易である。この例示の場合において、器具カセット２００は、空洞の開口を閉鎖し、且つ、無線周波数識別器を空洞の表面に対して静止状態に保ち、且つ、空洞２０３の表面と共に無線周波数識別器２０２用のスペースを構成するのに適した閉鎖要素２０４を備えている。この無線周波数識別器２０２用のスペースは、利点として、気密封止されたスペースである。この例示の場合において、空洞２０３は細長い溝であり、無線周波数識別器は細長いアンテナ構造体２０５及び２０６を備えており、閉鎖要素２０４は、その細長い溝を閉鎖するための細長いバーである。閉鎖要素２０４は、利点として、可撓性であり、空洞２０３と可撓性閉鎖要素２０４とは、利点として、適切な封止を実現するために、可撓性閉鎖要素が空洞２０３内への挿入に応じて圧縮されるように、寸法決めされている。
【００２２】
図２Ｂ〜２Ｄに例示された例示的な設置行程において、閉鎖要素２０４の固定を確実にするために、閉鎖要素２０４は、接着剤で空洞２０３の表面に取り付けられる。図２Ｃに示された矢印は、接着剤が細長い空洞２０３の両端及び中央に付けられる例示的な場合を例示している。接着剤の液滴が、参照番号２１２で示されている。接着剤が閉鎖要素２０４の接触面全体に、むらなく均一に、広げられる場合、接着剤は、無線周波数識別器２０２を収容するスペースを密閉するためのシールとしても機能し得る。多くの場合、接着剤と共に適切な下塗り剤を使用すると効果的である。接着剤を付けた後に、閉鎖要素２０４を空洞２０３に押し付けることができる。これは、図２Ｄに示された矢印によって例示されている。ヘラか、あるいは、平坦な表面を有する要素かを使用して、閉鎖要素２０４を確実に適切に位置付けできる。
【００２３】
図２Ａ〜２Ｄに例示された例示的な器具カセット２００において、閉鎖要素２０４は、器具カセットの本体部２０１に設置される事前に製造された要素である。例示的な一実施形態に従う器具カセットの閉鎖要素は、無線周波数識別器が空洞に挿入された後に空洞の開口において鋳造された材料によって形成されることも可能である。
【００２４】
図３Ａ及び３Ｂは、例示的且つ非限定的な実施形態に従う器具カセット３００を例示している。図３Ａは器具カセットの上面図を示しており、図３Ｂは器具カセットの側面図を示している。更に、図３Ｂは、図３Ａに示された線Ａ−Ａに沿った部分的断面図を示している。図３Ｂに示された部分的断面に関する断面は、座標系３９９のｙｚ平面と平行である。器具カセット３００は、例えば医療用又は歯科用の手用器具のような器具を保持するための本体部３０１を備えている。図３Ａ及び３Ｂに示された例示的な状況において、器具カセット３００内には３つの例示的な器具がある。これらの例示的な器具のうちの１つが、参照番号３１１で示されている。この例示的な器具カセット３００は、これらの器具の施術用部分用に２つのセクション３１３及び３１４を備えている。器具カセット３００は、器具の施術用部分に対する意図しない接触を防止するために、器具の施術用部分を収容するためのスペースを覆うカバー要素３０７及び３０８を備えている。この例示的な器具カセット３００において、カバー要素３０７及び３０８は、本体部３０１にヒンジ留めされている。しかしながら、１つ又は複数のカバー要素が、例示的な一実施形態に従って、器具カセットの本体セクションに形状固定されているか、あるいは、そうでなければ、機械的に接続されていることも可能である。図３Ａ及び３Ｂに示された例示的な状況において、カバー要素３０８は、開いた位置にある。
【００２５】
器具カセット３００は無線周波数識別器「ＲＦＩＤ」を備えており、この無線周波数識別器は、これから離れた所から読み取り可能である。図３Ｂにおいて、無線周波数識別器は、参照番号３０２で示されている。この例示の場合において、無線周波数識別器３０２は、カバー要素３０８の空洞３０３内に配置されている。器具カセット３００には、空洞３０３の開口を閉鎖し、且つ、この空洞の表面と共に、無線周波数識別器３０２用のスペースを構成する閉鎖要素３０４が備えられている。利点として、カバー要素３０８は、本体部３０１から非破壊的に取り外し可能である。換言すれば、カバー要素３０８は、不可逆的な材料の変形を必要とせずに取り外すことができる。この例示の場合、カバー要素３０８は、ヒンジピン３３０を取り外すことによって、本体部３０１から取り外すことができる。カバー要素３０８は本体部３０１から非破壊的に取り外し可能であるため、カバー要素３０８を、別の無線周波数識別器を備えた別のカバー要素と、交換することは簡単である。従って、無線周波数識別器３０２は、別の無線周波数識別器と容易に置き換えることができる。
【００２６】
図１Ａ〜１Ｅ、２Ａ〜２Ｄ並びに３Ａ及び３Ｂに例示された例示的な器具カセット１００、２００及び３００において、無線周波数識別器は、本体部によって構成された空洞内に、あるいは、器具の施術用部分に対する意図しない接触を防ぐためのカバー要素によって構成された空洞内に、配置されている。また、無線周波数識別器が、上述の本体部でもなければ上述の部類のカバー要素でもない器具カセットの一部分に配置されることも可能である。その一部分は、例えば、無線周波数識別器を収容するためのモジュールであってもよい。このモジュールは、例えば、適切な取り付け構成によって、本体部に取り付けることができる。この取り付け構成は、例えばネジを備えていてもよく、及び／又は、モジュールを取り外し易くなるように且つ別のモジュールと交換し易くなるように、材料の弾性に、及び／又は、ばね力に基づいていてもよい。
【００２７】
以上の説明において提供した具体的な例は、本明細書に記載の特許請求の範囲の適用範囲及び／又は適用の可能性を限定するものとして解釈されるべきではない。以上の説明において提供した多数の例と数組の例とは、特に明記しない限り、網羅的ではない。
【図１Ａ】
2020526256.tif 000003
【図１Ｂ】
2020526256.tif 000004
【図１Ｃ】
2020526256.tif 000005
【図１Ｄ】
2020526256.tif 000006
【図１Ｅ】
2020526256.tif 000007
【図２Ａ】
2020526256.tif 000008
【図２Ｂ】
2020526256.tif 000009
【図２Ｃ】
2020526256.tif 000010
【図２Ｄ】
2020526256.tif 000011
【図３Ａ】
2020526256.tif 000012
【図３Ｂ】
2020526256.tif 000013
【国際調査報告】
2020526256.tif 000014
2020526256.tif 000015
2020526256.tif 000016
2020526256.tif 000017
2020526256.tif 000018